(57)【要約】【課題】制動板を係合溝に嵌入するか係合溝から外すことにより、ガスシリンダー本体の左右方向への回転の可否を制御するガスシリンダー構造を提供する。【解決手段】ガスシリンダー構造は、椅子に取り付けられるとともに、ガスシリンダー本体１０、固定座２０、頂板３０、制動板４０、ばね５０及び回転蓋６０を備える。ガスシリンダー本体１０は、多角形状を呈する杆体を有し、外周に外筒１１が設けられる。固定座２０は、ガスシリンダー本体１０の外筒１１上に嵌合される。固定座２０の中央部には、ガスシリンダー本体１０の多角形状杆体が挿通される円連通孔２１が形成される。固定座２０の上端面には、多角形状の係合槽２２が形成される。係合槽２２の隅には、３つの貫通孔２３が形成される。固定座２０上端の径方向周縁には、３つの窪み部２４及び３つの案内溝２５が形成される。固定座２０下端には、嵌合部２６が設けられる。【選択図】図１
0003201614.tif 000002
【実用新案登録請求の範囲】
【請求項１】
椅子に取り付けられるガスシリンダー構造であって、ガスシリンダー本体、固定座、頂板、制動板、ばね及び回転蓋を備えたガスシリンダー構造であり、
前記ガスシリンダー本体は、多角形状を呈する杆体を有し、外周に外筒が設けられ、
前記固定座は、前記ガスシリンダー本体の前記外筒上に嵌合され、
前記固定座の中央部には、前記ガスシリンダー本体の多角形状杆体が挿通される円連通孔が形成され、
前記固定座の上端面には、多角形状の係合槽が形成され、
前記係合槽の隅には、３つの貫通孔が形成され、
前記固定座上端の径方向周縁には、３つの窪み部及び３つの案内溝が形成され、
前記固定座下端には、嵌合部が設けられ、
前記頂板及び前記制動板の外形は、前記固定座の前記係合槽と同じ多角形状であり、
前記頂板及び前記制動板は、前記係合槽内に配設され、前記頂板の中央部には、前記ガスシリンダー本体の多角形状杆体より大きな直径を有する円孔が形成され、前記頂板の隅には、前記係合槽の隅に形成された３つの貫通孔にそれぞれ対応するように３つのスライドロッドが形成され、前記制動板の中央部には、前記ガスシリンダー本体の多角状杆体が嵌合されるように多角孔が形成され、
前記ばねは、前記制動板と前記回転蓋との間に介装され、
前記回転蓋の周縁には、前記固定座の周縁に形成された３つの案内溝に対応するように３つの貫通孔が形成され、前記回転蓋の下端開口縁には、前記固定座の周縁に形成された前記３つの窪み部に対応するように３つの押圧ブロックが設けられ、前記回転蓋の上端には、円孔が形成され、前記円孔の周縁内側には、複数の停止リブが設けられ、
前記制動板を前記固定座の前記係合槽内に挿設するか又は前記制動板を前記係合槽内から外すことにより、前記ガスシリンダー本体の左右方向への回転の可否を制御することを特徴とするガスシリンダー構造。
【請求項２】
前記ガスシリンダー本体の前記外筒には、貫通孔が形成され
前記固定座下端に設けられた前記嵌合部には、前記ガスシリンダー本体の前記外筒に形成された前記貫通孔に対応するように凹孔が形成されていることを特徴とする請求項１に記載のガスシリンダー構造。
【考案の詳細な説明】
【技術分野】
【０００１】
本考案は、ガスシリンダー構造に関するものであり、さらに詳しくは、ガスシリンダー本体、固定ベース、頂板、制動板、ばね及び回転カバーを含み、制動板を係合溝に嵌入させるか又は固定ベースの係合溝から外すことにより、ガスシリンダー本体の左右方向への回転を制御するガスシリンダー構造に関するものである。
【背景技術】
【０００２】
一般に椅子には、高さを調整するためのガスシリンダーが取り付けられている。ガスシリンダーが取り付けられた椅子は非常に便利であり、椅子に座る者は、高さを上下に調整したり左右方向へ回転させたりすることができる。しかし、椅子が左右方向へ回転可能な場合、年長者及び幼い子供にとって危険であるため、椅子の高さは調整可能であるが、左右方向へは回転しないように、ガスシリンダーが多角形状に形成された椅子がメーカーにより開発されている。また、メーカーは椅子の利便性を高めて消費者のニーズに応えるために、回転の可否が調整可能な椅子を開発し、その大部分には椅子に取り付けたガスシリンダー上に調整装置が設けられる。従来の椅子の高度昇降調整装置は、貫通孔が形成された外管上端がベースに嵌合される。ベースには、外管の貫通孔に対応した箇所に凹孔が形成される。ベース内部には、弾性部材、頂杆及び係合杆を対応するように設置する複数の設置領域が凹設され、外管及びベースの中心部には、ガスシリンダーが挿設される。ガスシリンダーは、対応した形状を呈する透孔を有する板体に嵌合され、板体には、係合杆を挿設する複数の貫通孔が形成され、蓋体を介してガスシリンダーの端部が嵌合される。蓋体は、外管の貫通孔及びベースの凹孔に対応するように形成された切欠きを有する。切欠きには、第１の係合部及び第２の係合部が形成され、蓋体の切欠き、外管の貫通孔及びベースの凹孔にピンが挿設されて位置決めされる。蓋体を回転させ、係合杆を貫通孔へ係合させるか又は貫通孔から外し、回転又は位置決めを制御するが、このような構造は複雑であり、改善が求められていた。
【考案の概要】
【考案が解決しようとする課題】
【０００３】
本考案の主な課題は、ガスシリンダー本体、固定ベース、頂板、制動板、ばね及び回転カバーを含むガスシリンダーであって、ガスシリンダー本体の左右方向への回転の可否を制御可能なガスシリンダー構造を提供することにある。
【課題を解決するための手段】
【０００４】
そこで、本考案者は、前記の本考案の課題を解決するため鋭意検討を重ねた結果、前記ガスシリンダーにおいて、固定ベースの上端面に、多角形状の係合溝が形成され、制動版を係合溝に嵌入させるか又は係合溝から外すことによりガスシリンダー本体の左右方向への回転を制御でき、前記課題を解決できることに着目し、かかる知見に基いて本考案に想到するに至った。
【０００５】
すなわち、本考案に係るガスシリンダー構造の要旨は下記の通りである。
（１）椅子に取り付けられるガスシリンダー構造であって、ガスシリンダー本体、固定座、頂板、制動板、ばね及び回転蓋を備えたガスシリンダー構造であり、
前記ガスシリンダー本体は、多角形状を呈する杆体を有し、外周に外筒が設けられ、
前記固定座は、前記ガスシリンダー本体の前記外筒上に嵌合され、
前記固定座の中央部には、前記ガスシリンダー本体の多角形状杆体が挿通される円連通孔が形成され、
前記固定座の上端面には、多角形状の係合槽が形成され、
前記係合槽の隅には、３つの貫通孔が形成され、
前記固定座上端の径方向周縁には、３つの窪み部及び３つの案内溝が形成され、
前記固定座下端には、嵌合部が設けられ、
前記頂板及び前記制動板の外形は、前記固定座の前記係合槽と同じ多角形状であり、
前記頂板及び前記制動板は、前記係合槽内に配設され、前記頂板の中央部には、前記ガスシリンダー本体の多角形状杆体より大きな直径を有する円孔が形成され、前記頂板の隅には、前記係合槽の隅に形成された３つの貫通孔にそれぞれ対応するように３つのスライドロッドが形成され、前記制動板の中央部には、前記ガスシリンダー本体の多角状杆体が嵌合されるように多角孔が形成され、
前記ばねは、前記制動板と前記回転蓋との間に介装され、
前記回転蓋の周縁には、前記固定座の周縁に形成された３つの案内溝に対応するように３つの貫通孔が形成され、前記回転蓋の下端開口縁には、前記固定座の周縁に形成された前記３つの窪み部に対応するように３つの押圧ブロックが設けられ、前記回転蓋の上端には、円孔が形成され、前記円孔の周縁内側には、複数の停止リブが設けられ、
前記制動板を前記固定座の前記係合槽内に挿設するか又は前記制動板を前記係槽合内から外すことにより、前記ガスシリンダー本体の左右方向への回転の可否を制御することを特徴とするガスシリンダー構造。
【０００６】
（２）前記ガスシリンダー本体の前記外筒には、貫通孔が形成され
前記固定座下端に設けられた前記嵌合部には、前記ガスシリンダー本体の前記外筒に形成された前記貫通孔に対応するように凹孔が形成されていることを特徴とする前記（１）に記載のガスシリンダー構造。
【考案の効果】
【０００７】
本考案に係るガスシリンダー構造は、前記の通りの構成からなり、後述のように、椅子に取り付けられると、椅子の着座者が回転蓋６０を回転させるだけで、ガスシリンダー本体１０の左右方向への回転及び椅子の着座部７０の回転を制御することができる。
【図面の簡単な説明】
【０００８】
【図１】図１は、本考案の一実施形態に係るガスシリンダー構造を示す分解斜視図である。
【図２】図２は、本考案の一実施形態に係るガスシリンダー構造の固定ベース構造を示す断面斜視図である。
【図３】図３は、本考案の一実施形態に係るガスシリンダー構造の回転蓋構造を示す断面斜視図である。
【図４】図４は、本考案の一実施形態に係るガスシリンダー構造を示す部分断面図である。
【図５】図５は、本考案の一実施形態に係るガスシリンダー構造を操作するときの状態を示す説明図である。
【図６】図６は、本考案の一実施形態に係るガスシリンダー構造を操作するときの状態を示す説明図である。
【図７】図７は、本考案の一実施形態に係るガスシリンダー構造を操作するときの状態を示す説明図である。
【考案を実施するための最良の形態】
【０００９】
図１〜図３を参照する。図１〜図３に示すように、本考案の一実施形態に係るガスシリンダー構造は、椅子に取り付けられる。本考案の一実施形態に係るガスシリンダー構造は、ガスシリンダー本体１０、固定座２０、頂板３０、制動板４０、ばね５０及び回転蓋６０を含む。ガスシリンダー本体１０の杆体は、多角形状を呈し、外筒１１が外周に設けられる。外筒１１には、貫通孔１１１が形成される。固定座２０は、ガスシリンダー本体１０の外筒１１上に嵌合される。固定座２０の中央部には、ガスシリンダー本体１０の多角形状杆体が挿通される円連通孔２１が形成される。固定座２０の上端面には、多角形状の係合槽２２が形成される。係合槽２２の隅には、３つの貫通孔２３が形成される。固定座２０上端の径方向周縁には、３つの窪み部２４及び３つの案内溝２５が形成される。固定座２０の下端には、嵌合部２６が設けられる。嵌合部２６には、ガスシリンダー本体１０の外筒１１に形成された貫通孔１１１に対応するように凹孔２６１が形成される。頂板３０及び制動板４０の外形は、固定座２０の係合槽２２と同じ多角形状である。頂板３０及び制動板４０は、係合槽２２内に配設される。頂板３０の中央部には、ガスシリンダー本体１０の多角形状杆体より大きな直径を有する円孔３１が形成される。頂板３０の隅には、係合槽２２の隅に形成された３つの貫通孔２３にそれぞれ対応するように３つのスライドロッド３２が形成される。制動板４０の中央部には、ガスシリンダー本体１０の多角状杆体が嵌合されるように多角孔４１が形成される。ばね５０は、制動板４０と回転蓋６０との間に介装される。回転蓋６０の周縁には、固定座２０の周縁に形成された３つの案内溝２５に対応するように３つの貫通孔６１が形成される。回転蓋６０の下端開口縁には、固定座２０の周縁に形成された３つの窪み部２４に対応するように３つの押圧ブロック６２が設けられる。回転蓋６０の上端には、円孔６３が形成される。円孔６３の周縁内側には、複数の停止リブ６４が設けられる。
【００１０】
実際に組立てる際、まず、ガスシリンダー本体１０の多角形状杆体を固定座２０の中央部に形成された円連通孔２１に挿通させ、固定座２０下端の嵌合部２６をガスシリンダー本体１０の外筒１１内に嵌入し、固定座２０をガスシリンダー本体１０の外筒１１上に嵌合させてから、頂板３０を固定座２０の係合槽２２内に挿入し、頂板３０の隅の３つのスライドロッド３２を係合槽２２の隅に形成された３つの貫通孔２３内に挿入し、頂板３０の上に制動板４０及びばね５０を嵌合させてから回転蓋６０を被せ、回転蓋６０上端に形成された円孔６３の周縁内側の各停止リブ６４とばね５０の上端とを嵌合させ、回転蓋６０下端開口縁の押圧ブロック６２を固定座２０周縁の３つの窪み部２４に位置合わせして下向きに蓋を被せてから、回転蓋６０を僅かな角度で回転させ、回転蓋６０周縁上の３つの貫通孔６１を固定座２０周縁の３つの案内溝２５に位置合わせすると、３本のピン６５が回転蓋６０周縁に形成された３つの貫通孔６１に挿入され、各ピン６５を固定座２０周縁の案内溝２５内に挿通させると、図４に示すように、回転蓋６０の下端開口縁に設けられた３つの押圧ブロック６２が頂板３０の隅に設けられたスライドロッド３２下方に位置する。
【００１１】
固定座２０がガスシリンダー本体１０の外筒１１上に嵌合された後、必要に応じて、ねじ１２（又はねじ１２と同じ作用を有するピンであるが、ピンは図示されていない）が、ガスシリンダー本体１０の外筒１１に形成された貫通孔１１１に挿入され、固定座２０下端の嵌合部２６に形成された凹孔２６１に螺入され、ガスシリンダー本体１０の外筒１１上に固定座２０を強固に嵌合させることができる。
【００１２】
回転蓋６０を固定座２０に被せると、３本のピン６５が固定座２０周縁の案内溝２５内に挿入され、回転蓋６０が案内溝２５の制限範囲内でのみ回転して上下移動する。回転蓋６０の３本のピン６５が固定座２０の案内溝２５の下セクションに位置すると、ばね５０が制動板４０と回転蓋６０との間に位置するため、ばね５０の弾力により頂板３０及び制動板４０が押圧され、頂板３０及び制動板４０が固定座２０の係合槽２２内に挿入され、制動板４０の中央部に形成された多角孔４１にガスシリンダー本体１０の多角形状杆体が嵌合されるため、制動板４０を固定座２０の係合槽２２内に挿入すると、図５に示すように、ガスシリンダー本体１０は上下昇降のみを行い、左右方向への回転は行われない。回転蓋６０は、逆時計回りで僅かに回転されると上方へ変位し、回転蓋６０の３本のピン６５が固定座２０の案内溝２５の上セクションに位置すると、回転蓋６０の下端に形成された開口縁の３つの押圧ブロック６２が頂板３０の隅に設けられたスライドロッド３２を押動し、頂板３０及び制動板４０を同時に上方へ押動し、固定座２０の係合槽２２から制動板４０が外る。制動板４０が係合槽２２から外れると、相対的にガスシリンダー本体１０が制限を受けなくなり、図６に示すように、左右方向へ回転可能となる。
【００１３】
本実施形態のガスシリンダー構造が図7に示すように、椅子に取り付けられると、椅子に座る者が回転蓋６０を回転させるだけで、ガスシリンダー本体１０の左右方向への回転の可否を制御したり、椅子の着座部７０の左右方向への回転の可否を制御したりすることができる。
【符号の説明】
【００１４】
１０  ガスシリンダー本体
１１  外筒
１２  ねじ
２０  固定座
２１  円連通孔
２２  係合槽
２３  貫通孔
２４  窪み部
２５  案内溝
２６  嵌合部
３０  頂板
３１  円孔
３２  スライドロッド
４０  制動板
４１  多角孔
５０  ばね
６０  回転蓋
６１  貫通孔
６２  押圧ブロック
６３  円孔
６４  停止リブ
６５  ピン
７０  着座部
１１１  貫通孔
２６１  凹孔
【図１】
0003201614.tif 000003
【図２】
0003201614.tif 000004
【図３】
0003201614.tif 000005
【図４】
0003201614.tif 000006
【図５】
0003201614.tif 000007
【図６】
0003201614.tif 000008
【図７】
0003201614.tif 000009